(57)【要約】【課題】温室内が高温・多湿で低通気性になることを回避して、農作物が葉枯病などにかかることを防止できる栽培用ハウスが望まれている。【解決手段】栽培用ハウス１は、温室用フレーム２の周側面および上面が温室用シート材８，７で被われていて、温室用フレーム上面の温室用シート材７が屋根部Ｙを形成しているものであって、屋根部Ｙの下方に、密閉状の屋根裏室１２，１２が温室用シート材７，９，１０などで形成され、温室内１１と上方の温室外２８とを連通する昇気用通路１７が屋根裏室１２を上下に貫通して設けられている。また、昇気用通路１７における温室内１１側の開口部１３の開口面積は、温室外２８側の開口部１４の開口面積よりも大きく設定されている。【選択図】図２
0003176964.tif 000002
【実用新案登録請求の範囲】
【請求項１】
温室用フレームの周側面および上面が温室用シート材で被われていて、温室用フレーム上面の温室用シート材が屋根部を形成している栽培用ハウスにおいて、前記屋根部の下方に、密閉状の屋根裏室が温室用シート材で形成され、温室内と上方の温室外とを連通する昇気用通路が前記屋根裏室を上下に貫通して設けられていることを特徴とする栽培用ハウス。
【請求項２】
昇気用通路における温室内側の開口部の開口面積が、温室外側の開口部の開口面積よりも大きく設定されている請求項１に記載の栽培用ハウス。
【請求項３】
屋根裏室の下面に、日光の一部を遮光する遮光性素材が重ねられている請求項１または請求項２に記載の栽培用ハウス。
【請求項４】
昇気用通路における温室内側の開口部に、当該開口部を開閉可能に閉止する蓋体が設けられている請求項１から請求項３のいずれか一項に記載の栽培用ハウス。
【請求項５】
蓋体が不織布で構成されている請求項４に記載の栽培用ハウス。
【考案の詳細な説明】
【技術分野】
【０００１】
本考案は、強風、雨、霜、気温などの苛酷な自然環境から農作物を守り疾病の感染を防ぐ栽培用ハウスに関するものである。
【背景技術】
【０００２】
従来、この種の栽培用ハウスとしては、例えば下記の特許文献１に記載されたものが知られている。かかる栽培用ハウスを図６に示す。図示の栽培用ハウス５１は、温室用フレームの周側面および上面が、例えば透明な合成樹脂シート製の温室用シート材で被われている。温室用フレーム２は、柱材３と、左右の柱材３，３間に架設された梁材４と、前後の柱材３，３間に架設された桁材と、左右の桁材間に架設されたアーチ状の屋根フレーム材５２などから構成されている。そして、温室用フレーム５２の上面は温室用シート材７で被われ、温室用フレームの周側面は温室用シート材８などで被われている。屋根頂部には窓開口５５，５５が形成され、窓開口５５，５５を開閉する蓋体５４，５４が、屋根フレーム材５５に設けられたヒンジ部５３に上下揺動自在に枢支されている。蓋体５４，５４は、接続された支持棒５６，５６の操作により開閉される。そして、夏場などは、温室用シート材８の下部が巻き上げられて巻上げ部分８Ａとされることにより側面開口１８が形成される。温室内１１ａではトマトなどの農作物Ｎが栽培される。この栽培用ハウス５１では、蓋体５４が上げられて窓開口５５が開放され、温室用シート材８を巻き上げて側面開口１８を開放されることにより、温室内１１ａに外気を導入して温度および湿度の上昇を防ぐようになっている。
【先行技術文献】
【特許文献】
【０００３】
【特許文献１】特開２０１２−２３９８１号公報
【考案の概要】
【考案が解決しようとする課題】
【０００４】
ところで、従来の栽培用ハウス５１では、窓開口５５および側面開口１８が開かれて外気を温室内１１ａに導入するようになっているが、温室用シート材７を透過した日光はそのまま農作物Ｎや地面に当たって農作物Ｎおよび地面自体の温度を上昇させる。また、窓開口５５と側面開口１８が開いているが、温室内１１ａ全体は単一空間であるため、温度分布がさほど偏っていない。そのために、温室内１１ａで空気の温度差を駆動力とする上昇気流を十分に発生させることができず、温室内１１ａの空気が滞留して昇温を招くとともに農作物Ｎおよび地面からの湿気を発生させやすくするという問題があった。このように、温室内１１ａが高温・多湿で低通気性になると、農作物が葉枯病などに罹るおそれが高くなる。一方で、窓開口５５は開いたままにされていることが多く、台風や竜巻などの強風に遭遇すると、蓋体５４が吹き飛ばされたり、ひいては温室用シート材７，８などが引き剥がされたりするといった害を被るおそれもある。
【０００５】
本考案は、上記した従来の問題点に鑑みてなされたものであって、温室内が高温・多湿で低通気性になることを回避して、農作物が葉枯病などにかかることを防止できる栽培用ハウスの提供を目的とする。
【課題を解決するための手段】
【０００６】
上記目的を達成するために、本考案に係る栽培用ハウスは、温室用フレームの周側面および上面が温室用シート材で被われていて、温室用フレーム上面の温室用シート材が屋根部を形成している栽培用ハウスにおいて、前記屋根部の下方に、密閉状の屋根裏室が温室用シート材で形成され、温室内と上方の温室外とを連通する昇気用通路が前記屋根裏室を上下に貫通して設けられた構成にしてある。
【０００７】
また、前記構成において、昇気用通路における温室内側の開口部の開口面積が、温室外側の開口部の開口面積よりも大きく設定されているものである。
【０００８】
そして、前記した各構成において、屋根裏室の下面に、日光の一部を遮光する遮光性素材が重ねられているものである。
【０００９】
更に、前記した各構成において、昇気用通路における温室内側の開口部に、当該開口部を開閉可能に閉止する蓋体が設けられているものである。
【００１０】
また、前記請求項４の構成において、蓋体が不織布で構成されているものである。
【考案の効果】
【００１１】
本考案に係る栽培用ハウスによれば、屋根部の下方に密閉状の屋根裏室が形成され、温室内と上方の温室外とを連通する昇気用通路が屋根裏室を上下に貫通して設けられているので、屋根部を透過して屋根裏室に入った日光の熱は、屋根裏室に蓄えられて屋根裏室内を昇温させる。そして、屋根裏室内に蓄えられた熱は、昇気用通路内の空気を加熱する。この場合、栽培用ハウスの側面などが開かれていると、外気が側面開口から温室内に入り込むとともに、昇気用通路内の空気は煙突効果により上昇して温室外へ放出される。これにより、温室内の温度が過度に高くなることがない。また、温室内の空気が入れ換わることにより、温室内の湿度が、閉めきった場合のように過度に高くならない。これらの結果、温室内が高温・多湿で低通気性となる環境条件を回避でき、農作物が葉枯病などに罹ることを未然に防ぐことが可能となる。
【００１２】
また、昇気用通路における温室内側の開口部の開口面積が、温室外側の開口部の開口面積よりも大きく設定されているものでは、昇気用通路内での空気の十分な滞留時間が確保されるので、屋根裏室から多量の熱を受け取って上温し易くなり、よりいっそうの煙突効果を得ることができる。
【００１３】
そして、屋根裏室の下面に、日光の一部を遮光する遮光性素材が重ねられているものでは、屋根部を透過して屋根裏室に入射した光と熱の一部が遮光性素材に吸収され、残りの光と熱が遮光性素材を透過して温室内に入るので、屋根裏室内が昇温されるに対して、温室内には農作物の光合成に必要な量の光と熱が供給されるだけである。従って、特に夏場の日中における温室内の過熱を防ぐことができる。
【００１４】
更に、昇気用通路における温室内側の開口部に、当該開口部を開閉可能に閉止する蓋体が設けられているものでは、温室内側の開口部が蓋体で閉止されると、昇気用通路内での空気の流通をなくせるので、光量の少ない冬場に好適に用いることができる。温室内側の開口部が蓋体で閉止されているときに屋根裏室内が日光により蓄熱されても、屋根裏室内の熱は昇気用通路を経て温室外へ排出されるので、屋根裏室内が過剰に昇温することはなく、温室内の温度もさほど高くならない。因みに、昇気用通路における温室外側の開口部に蓋体が設けられて閉じており、温室内側の開口部が温室内と連通するように構成したものでは、屋根裏室から昇気用通路に入った熱は上方への逃げ場がないために温室内に入らざるを得ず、温室内の温度上昇を招くおそれがある。
【００１５】
また、蓋体が不織布で構成されているものでは、温室内で生じた湿気が蓋体を徐々に透過して昇気用通路内に流入し昇気用通路内の上昇気流に乗って温室外へ排出されるので、温室内が高湿度になって温室用シート材の内面や農作物の表面に結露を生じさせて、農作物に害を与えるという不具合を防止できる。
【図面の簡単な説明】
【００１６】
【図１】本考案の一実施形態に係る栽培用ハウスが複数横並びに設置された多連棟ハウスを示す外観図である。
【図２】前記栽培用ハウスの夏場使用時の正断面図である。
【図３】図２におけるＡ−Ａ線矢視断面図である。
【図４】前記栽培用ハウスの冬場使用時の正断面図である。
【図５】前記栽培用ハウスの別の例を示す図であり、（ａ）は蓋体の別例を示す部分正断面図、（ｂ）は昇気用通路の別例を示す部分平断面図である。
【図６】本考案の背景となる従来の栽培用ハウスにおける夏場使用時の正断面図である。
【考案を実施するための形態】
【００１７】
本考案の実施形態を図面に基づいて説明する。尚、以下に述べる実施形態は本考案を具体化した一例に過ぎず、本考案の技術的範囲を限定するものでない。図１は本考案の一実施形態に係る栽培用ハウスが複数横並びに設置された多連棟ハウスを示す外観図、図２は前記栽培用ハウスの夏場使用時の正断面図、図３は図２におけるＡ−Ａ線矢視断面図である。但し、図６に示した従来の栽培用ハウス５１と同一の構成要素には、同一の符号を付すとともにその詳細な説明を省略することがある。
図に示した多連棟ハウスは、この実施形態に係る栽培用ハウス１が横並びに複数棟設置されたものである。ここでは理解を容易にするため、単一の栽培用ハウス１について説明する。
この栽培用ハウス１では、温室用フレーム２の周側面および上面が、例えば透明な合成樹脂シート製の温室用シート材で被われている。温室用フレーム２は、正面位置、左右外側面位置、背面位置にそれぞれ適宜間隔で地面に立設された複数の柱材３，３，３，・・・と、左右の柱材３，３間に架設された前後複数の梁材４，４，４，・・・と、前後の柱材３，３間に架設された複数の桁材５，５，５，・・・と、左右の桁材５，５間に架設されたアーチ状の複数の屋根フレーム材６，６，６，・・・と、前後の柱材３，３間または屋根フレーム材６，６間をつなぐ桁フレーム材２２，２２，２２，・・・と、桁材５と地面をつなぐ柱フレーム材２１，２１，２１，・・・と、から構成されている。
【００１８】
柱材３、梁材４、および桁材５は例えば角鋼管で構成され、屋根フレーム材６、桁フレーム材２２、および柱フレーム材２１は例えば丸パイプで構成されている。この温室用フレーム２は、間口が５〜１０ｍ程度であり前後奥行きが５０ｍ程度であるが、本考案はこれらの寸法に限定されない。そして、温室用フレーム２の上面を被う温室用シート材７が屋根部Ｙを形成している。温室用フレーム２の正面（周側面）および背面（周側面）を被う温室用シート材２０および温室用シート材２７と、左右の側面（周側面）を被う温室用シート材８とが、側壁部Ｓを形成している。温室用シート材７，８，９，１０，２０，２７は、それぞれ、例えば厚さ０．５ｍｍ程度の透明なポリプロピレンシートで構成されている。但し、本考案の温室用シート材は、前記した厚さ、材質、透明度合に限定されるものでない。
【００１９】
そして、この栽培用ハウス１は、屋根部Ｙである温室用シート材７の下方に、温室用シート材７を構成の一部として含む密閉状の屋根裏室１２が形成されている。すなわち、温室用シート材７と、この温室用シート材７の途中に一端部が接着された温室用シート材１０と、この温室用シート材１０の他端部から延在して温室用シート材７の先端部に接着された温室用シート材９とから、前後両端に筒開口を有するシート筒体が形成される。そして、シート筒体の正面側と背面側の筒開口が、温室用シート材２７，２７で封着されることにより、密封状の屋根裏室１２が形成される。屋根裏室１２は温室用フレーム２の上部左右にそれぞれ配置される。屋根裏室１２の下面部材である温室用シート材１０は、前後複数の梁材４，４，４，・・・上に載せられて支持される。
【００２０】
そして、温室内１１と上方の温室外２８とを連通する昇気用通路１７が、屋根裏室１２，１２を上下に貫通して設けられている。この実施形態では、屋根裏室全体が昇気用通路１７の介在により左右の屋根裏室１２，１２に分けられている。昇気用通路１７は温室用フレーム２の正面から背面にわたって一連の長スリット状に形成されている。図１，２，４，５においては、判り易くするために、他の構成部分と比べて昇気用通路１７の部分を大きく描いているが、昇気用通路１７の高さ寸法は例えば１．５〜３ｍ程度であり、温室内１１側の開口部１３の左右の幅Ｌは例えば１５ｃｍ程度であり、温室外２８側の開口部１４の左右の幅Ｈは例えば５ｃｍ程度である。すなわち、温室内１１側の開口部１３の幅Ｌは、温室外２８側の開口部１４の幅Ｈよりも大きく設定されている。昇気用通路１７における温室内１１側の開口部１３には、多数の開口部１６，１６，１６，・・・を有する平面視格子状の枠体１５が装着される。枠体１５は温室用フレーム２の正面から背面にわたる長さに形成されていて、前後複数の梁材４，４，４，・・・上に載せられて支持される。
【００２１】
そして、温室用シート材７は、屋根フレーム材６と桁フレーム材２２に紐や接着テープなどで固定される。温室用シート材８は、柱材３、桁材５、柱フレーム材２１、および桁フレーム材２２に紐や接着テープでなど固定される。温室用シート材２０は、柱材３、梁材４、柱フレーム材２１、および桁フレーム材２２に紐や接着テープなどで固定される。温室用シート材２７は、梁材４、柱フレーム材２１、および屋根フレーム材６に紐や接着テープなどで固定される。
尚、図１に示した多連棟ハウスにおいては、重なる側面部分の温室用シート材８は取り外されており、それぞれの温室内１１，１１間は連通している。また、温室用シート材７と温室用シート材８との境目部分には、前後方向に延びる雨樋２３が取り付けられている。
【００２２】
上記のように構成された栽培用ハウス１を「夏場」で使用するにあたっては、図２に示すように、屋根裏室１２の下面を構成する温室用シート材１０上のほぼ全面にわたり、日光の一部を遮光する遮光性素材１９が重ねて載せられる。この遮光性素材１９は半透明の外観を呈しており、例えばポリエステル繊維やポリアミド繊維を主成分とするスパンボンド不織布（ユニチカ社製、製品名；ラブシート）で構成されている。遮光性素材１９は透光率が２０〜７０％で遮熱率が７０％以上のものが好ましく、そのようなものであれば前記した素材およびメーカー名のものに限定されない。すなわち、遮光性素材１９は、透光性および遮熱性を左右する繊維密度が適宜選定された不織布を使用することにより、農作物Ｓの光合成に最低限必要で、かつ、農作物Ｎを過熱により弱らせない程度の適切な量の光と熱を温室内１１へ届けることができる。一方で、温室用シート材８の下端部が巻き上げられて巻上げ部分８Ａとされ、これにより栽培用ハウス１の左右側面が側面開口１８，１８として開放され、涼しい外気を温室内１１に導入できるようになっている。
【００２３】
上記のように構成された栽培用ハウス１の作用を次に説明する。この栽培用ハウス１の温室内１１には、例えばトマトなどの農作物Ｎが栽培される。トマトは、不完全菌に属するカビにより引き起こされる葉カビ病にかかりやすいことで知られている。この葉カビ病は、高温・多湿で低通気性の環境下で引き起こされる葉枯病のひとつである。そこで、栽培用ハウス１に照射した日光は、大部分が温室用シート材７，２７を透過して屋根裏室１２内に入り、一部は側面の温室用シート材８，２０を透過して温室内１１に入る。屋根裏室１２内に入った日光は、その熱エネルギーと光の一部が遮光性素材１９に吸収され、温室内１１には農作物Ｎの育成に必要な量の光と熱が届く。
【００２４】
これらにより、屋根裏室１２内は蓄熱されて高い温度（例えば、６０℃程度まで）になる。そして、屋根裏室１２内に蓄えられた熱は、温室用シート材９を介して昇気用通路１７内の空気を加熱し比重を小さくさせる。このとき、左右の側面開口１８，１８と昇気用通路１７の開口部１３，１４は開いているので、外気が側面開口１８，１８から温室内１１に入り込むとともに、昇気用通路１７内の空気は煙突効果により上昇して開口部１４から温室外２８へ放出される。この場合、温室内１１側の開口部１３の開口面積（幅Ｌ×奥行き）が温室外２８側の開口部１４の開口面積（幅Ｈ×奥行き）よりも大きいので、昇気用通路１７内で空気が滞留しやすく、十分な滞留時間が確保されて左右の屋根裏室１２，１２の温室用シート材９，９から多量の熱を受け取って昇温し易くなる。尚、少々の雨のときは温室用シート材を用いて昇気用通路１７を閉じることはしないが、多量の降雨が予想されるときは、予め枠体１５の上面や開口部１４の上方に温室用シート材を被せて昇気用通路１７を封じておくとよい。
【００２５】
従って、この栽培用ハウス１によれば、温室内１１の温度を過度に高くすることがなく、トマトの栽培適温範囲内（例えば４０℃程度）に留めることができる。また、温室内１１の空気の入れ換えにより、閉めきった場合のように湿度が過度に高くならないから、高温・多湿で低通気性となる環境条件を回避できる。その結果、この栽培用ハウス１のおかげで農作物Ｎが葉枯病などに罹ることを防止できたのである。因みに、従来形式の栽培用ハウス５１（図６参照）では、農作物Ｎが葉枯病に罹ってしまい温室内１１ａの害虫も多かった。
【００２６】
尚、夏場に遮光性素材１９を使用しない場合は温室内１１への日光照射量が多くなるが、屋根裏室１２，１２の存在による昇気用通路１７からの空気の上昇排出作用により、温室内１１は、１８，１８から流入した涼しい外気によって冷却されるとともに、湿気も昇気用通路１７から温室外２８に放出される。従って、例えば昇気用通路１７を用いず栽培用ハウス１全体を閉めきった場合のように、温室内１１が６０℃程度に昇温したり高湿度になったりするという不具合を生じない。このような使用態様は、トマトなどよりいくぶん高い温度で栽培可能な農作物の育成に好適である。また、昇気用通路１７の煙突効果により、温室内１１では常に昇気用通路１７の開口部１３に向かう気流が生じているとともに、昇気用通路１７内では比較的速い上昇流が生じるため、側面開口１８から温室内１１に害虫が入った場合でも、害虫は最終的に昇気用通路１７を経て温室外２８に出て行くことになる。そして、栽培用ハウス１の屋根部Ｙには、従来技術における蓋体５４（図６参照）のような突出部品がないので、台風や竜巻などの強風に遭遇しても構成部品が吹き飛ばされるといったことがない。
【００２７】
一方で、栽培用ハウス１を「冬場」で使用して冬用トマトを栽培する場合は、図４に示すように、枠体１５の上面に、開口部１３を開閉可能に閉止する前後長尺の蓋体２４が載置される。この蓋体２４は、既述した遮光性素材１９よりも通気性が小さな不織布で構成されていて、枠体１５の上面に取り外し可能に載置される。また、温室用シート材８，８の巻上げ部分８Ａ，８Ａがほどかれて側面開口１８，１８が閉止される。これにより、栽培用ハウス１全体が閉めきられる。また、夜間や寒い昼間には重油ボイラーなどを使用して温室内１１が１０℃程度にされる。冬日が照射する日中は、栽培用ハウス１全体が閉止されたまま重油ボイラーは停止される。但し、不織布で構成された蓋体２４は若干の通気性を有しているし、各温室用シート材７，８，２０，２７には隙間もあるので、温室内１１内の空気は少しずつ昇気用通路１７から温室外２８へ流出している。
【００２８】
このように、冬場使用において栽培用ハウス１は閉め切られるので、日照時には温室内１１の温度が８〜１５℃と、冬用トマトの育成に適した温度に保持することができる。一方、蓋体２４には若干の通気性を有する不織布が使用されているので、適温にされている温室内１１で地面や農作物Ｎから生じた水分による湿度の上昇があっても、その湿気は蓋体２４を徐々に透過して昇気用通路１７内に流入する。更に、夏場ほどではないが昇気用通路１７内で加熱された上昇気流に乗って温室外２８へ排出される。従って、温室内１１が高湿度になって温室用シート材の内面や農作物Ｎの表面に結露を生じさせ、農作物Ｎに害を与えるということがない。尚、春先に日差しが強くなって屋根裏室１２の温度が上がってきても、そのときは屋根裏室１２の熱が昇気用通路１７内に移動し空気とともに排出されるので、温室内１１自体の温度が大きく上がることはない。そして、夏場に変わる前に、蓋体２４が枠体１５上から取り除かれ、枠体１５の開口部１６，１６，１６，・・・および昇気用通路１７の開口部１３が開放される。
【００２９】
尚、上記の実施形態では、梁材４，４，４，４・・・上に載せられる枠体１５を昇気用通路１７の開口部１３に装着し、この枠体１５の上面に不織布製の蓋体２４を載置した例を示したが、本考案はそれに限定されない。例えば図５（ａ）に示すように、各梁材４にヒンジ部２５を取り付け、前後の梁材４，４間で開口部１３を閉止可能な位置に、板状の蓋体２４ａをそれぞれ配置するともに、各蓋体２４ａを前後隣合う２つのヒンジ部２５,２５によって上下揺動自在に枢支させて開口部１３を開閉するようにしたものも、本考案に含まれる。このような蓋体２４ａによっても、夏場、冬場、雨天時、強風時といった気候条件に応じて開口部１３を開閉できるので、温室内１１を好適な温度および湿度に保持できる。
【００３０】
また、上記では、前後に長尺の昇気用通路１７を例示したが、本考案はそれに限定されるものでない。例えば図５（ｂ）に示すように、左右が一体につながった屋根裏室１２を形成しておき、その屋根裏室１２に、温室内１１と上方の温室外２８とを連通する複数の昇気用通路１７ａ，１７ａ，１７ａ，・・・を前後方向に適宜間隔で設けたものも、本考案に含まれる。各昇気用通路１７ａは、屋根裏室１２を上下貫通するように筒状に成された温室用シート材９ａにより形成され、温室用シート材９ａは屋根裏室１２における上側の温室用シート材７と下側の温室用シート材１０とに接着されている。屋根裏室１２の温室用シート材１０上に置かれる遮光性素材１９ａには、昇気用通路１７ａ，１７ａ，１７ａ，・・・を通すための挿通用穴２６，２６，２６，・・・が形成されている。このような昇気用通路１７ａ，１７ａ，１７ａ，・・・によっても、屋根裏室１２に蓄えられた熱により、昇気用通路１７ａ内に上昇気流を発生させることができ、温室内１１を好適な温度および湿度に保持できるのである。
【００３１】
そして、上記では、屋根部Ｙである温室用シート材７を構成の一部として含む屋根裏室１２の例を挙げたが、温室用シート材７の下方位置に、温室用シート材を材料にして温室用シート材７とは別個独立の密封袋状に形成された屋根裏室を配置したものでも構わない。
【００３２】
また、上記では、農作物としてトマトや冬用トマトを栽培する例を挙げたが、本考案の栽培用ハウスは、涼温での栽培に適した農作物として、例えば白菜、春菊、キャベツ、レタス、パセリ、ほうれん草などの野菜類や、カーネーション、桔梗、パンジーなどの花卉類を好適に育成することもできる。
【符号の説明】
【００３３】
１    栽培用ハウス
２    温室用フレーム
３    柱材
４    梁材
５    桁材
６，７，８，９，９ａ，１０，２０，２７  温室用シート材
１１  温室内
１２  屋根裏室
１３，１４  開口部
１７，１７ａ  昇気用通路
１９，１９ａ  遮光性素材
２４，２４ａ  蓋体
２８  温室外
Ｈ，Ｌ  幅
Ｎ    農作物
Ｙ    屋根部
【図１】
0003176964.tif 000003
【図２】
0003176964.tif 000004
【図３】
0003176964.tif 000005
【図４】
0003176964.tif 000006
【図５】
0003176964.tif 000007
【図６】
0003176964.tif 000008